(57)【要約】  【課題】  返し部材の早期交換による無駄をなくし、また遊技領域を広く確保できる弾球遊技機を提供する。  【解決手段】  遊技球を発射する発射手段９を備えた前枠２と、遊技球が入賞可能な入賞手段等の遊技部品が配置される遊技領域２１を有し且つ前枠２に設けられた遊技盤装着枠１９に着脱自在に装着される遊技盤１８とを備え、遊技領域２１の周壁の所定位置に配置され且つ発射手段９により発射されて遊技領域２１の上部側をその周壁に沿って走行する遊技球を遊技領域２１の内側に向けて跳ね返す返し部材７３を、遊技盤装着枠１９に着脱自在に装着したものである。【選択図】  図８
2006223734.tif 000002
【特許請求の範囲】
【請求項１】
遊技球を発射する発射手段（９）を備えた前枠（２）と、遊技球が入賞可能な入賞手段等の遊技部品が配置される遊技領域（２１）を有し且つ前記前枠（２）に設けられた遊技盤装着枠（１９）に着脱自在に装着される遊技盤（１８）とを備えた弾球遊技機において、前記遊技領域（２１）の周壁の所定位置に配置され且つ前記発射手段（９）により発射されて前記遊技領域（２１）の上部側をその周壁に沿って走行する遊技球を前記遊技領域（２１）の内側に向けて跳ね返す返し部材（７３）を、前記遊技盤装着枠（１９）に着脱自在に装着したことを特徴とする弾球遊技機。
【請求項２】
前記遊技盤装着枠（１９）は、前記遊技盤（１８）の周縁部に沿って前後方向に配置される側壁部（７１）と、その側壁部（７１）の前側から前記遊技盤（１８）の内側に向けて延設され且つ前記側壁部（７１）内に後側から嵌め込まれた前記遊技盤（１８）の前面周辺部に当接する前壁部（７２）とを備え、該前壁部（７２）における前記遊技領域側端面（７２ａ）が前記遊技領域（２１）の周壁の一部を構成しており、その遊技領域周壁を構成する前壁部端面（７２ａ）に設けられた切欠状の装着部（７４）に、前記返し部材（７３）が装着されていることを特徴とする請求項１に記載の弾球遊技機。
【請求項３】
前記返し部材（７３）は、前記遊技盤（１８）が装着されていない状態で前記装着部（７４）に着脱可能に構成されると共に、前記遊技盤装着枠（１９）に装着された遊技盤（１８）の所定部分が略当接して当該返し部材（７３）の脱落を防止する抜け規制部（７３ｂ）（８２ｂ）を有することを特徴とする請求項２に記載の弾球遊技機。
【請求項４】
前記返し部材（７３）は、前記装着部（７４）に対して前後方向に着脱可能に構成されると共に、前記遊技盤装着枠（１９）に後側から装着された遊技盤（１８）の前面側が略当接する抜け規制部（７３ｂ）を有することを特徴とする請求項３に記載の弾球遊技機。
【請求項５】
前記装着部（７４）は、前記遊技盤装着枠（１９）に対して前後方向全体にわたって形成されると共に、前記遊技盤装着枠（１９）には、前記返し部材（７３）の前面側に略当接する規制部（７６）が前記装着部（７４）の前部側に対応して設けられており、その規制部（７６）の後側に、前記返し部材（７３）側に形成された前後方向のガイド孔（７９）に前側から嵌合する支持ピン（７７）が後ろ向きに突設されていることを特徴とする請求項２〜４の何れかに記載の弾球遊技機。
【請求項６】
前記遊技盤装着枠（１９）に装着された遊技盤（１８）をその裏面側から支持する裏機構板（４１）を設け、前記返し部材（７３）は前記装着部（７４）に対して前後方向に着脱可能に構成され、前記裏機構板（４１）は前記装着部（７４）に装着された返し部材（７３）を後側から支持するように構成されていることを特徴とする請求項２〜５の何れかに記載の弾球遊技機。
【請求項７】
前記返し部材（７３）は、前記装着部（７４）に対して前記遊技盤（１８）の面内方向に着脱可能に構成されると共に、前記遊技盤装着枠（１９）に後側から装着された遊技盤（１８）の端面側が略当接する抜け規制部（８２ｂ）を有することを特徴とする請求項３に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機は、遊技球を発射する発射手段を前枠側に、その発射手段により発射された遊技球が入賞可能な入賞手段や図柄の変動表示等を行う表示装置等が配置される遊技領域を遊技盤側に夫々備えると共に、その遊技盤が前枠に対して着脱自在に装着され、この遊技盤を交換することにより新機種に変更できるようになったものが一般的である。
【０００３】
この種の弾球遊技機では、遊技領域の内周を規定する内レール、発射手段から発射された遊技球を遊技領域に案内する外レール等を遊技盤側に装着すると共に、その内レール上の所定位置、例えば右上部には、発射手段により遊技領域内に発射された遊技球を跳ね返すゴム材等よりなる返し部材が固定されている（例えば特許文献１参照）。
【特許文献１】特開２００１−０７０５６９号公報
【発明の開示】
【発明が解決しようとする課題】
【０００４】
返し部材は弾球遊技機にとってごく基本的な部品であるため、遊技機全体の大幅な設計変更でもない限り、新機種が出ても同じ形状のものが使用されることが多い。また、最近では機種変更のサイクルが短いため、返し部材が消耗する前に遊技盤の交換サイクルが到来する場合が多い。しかしながら、従来の弾球遊技機の返し部材は、未だ十分に消耗していないにも拘わらず、しかも次の機種でも全く同じ形状のものが使われるにも拘わらず、機種変更の時期が来れば遊技盤と共に交換されてしまうため、極めて不経済であった。
【０００５】
また、遊技盤上に返し部材が装着されているため、その返し部材そのもの及びその返し部材を支持するための部材等により遊技領域が狭くなる問題もあった。特に近年の弾球遊技機では、遊技領域内に配置される表示装置の画面が大型化する傾向にあるため、それに伴って遊技領域をより広く確保する必要性が益々高まっている。
【０００６】
本発明は、このような従来の問題点に鑑み、返し部材の早期交換による無駄をなくし、また遊技領域を広く確保できる弾球遊技機を提供することを目的とする。
【課題を解決するための手段】
【０００７】
本発明は、遊技球を発射する発射手段９を備えた前枠２と、遊技球が入賞可能な入賞手段等の遊技部品が配置される遊技領域２１を有し且つ前記前枠２に設けられた遊技盤装着枠１９に着脱自在に装着される遊技盤１８とを備えた弾球遊技機において、前記遊技領域２１の周壁の所定位置に配置され且つ前記発射手段９により発射されて前記遊技領域２１の上部側をその周壁に沿って走行する遊技球を前記遊技領域２１の内側に向けて跳ね返す返し部材７３を、前記遊技盤装着枠１９に着脱自在に装着したものである。
【発明の効果】
【０００８】
本発明によれば、遊技盤１８を交換する場合でも返し部材７３はそのままその交換時期がくるまで引き続き使用することができ、返し部材７３の早期交換による無駄をなくすことができる。また、返し部材７３を遊技盤１８側に設けないことにより遊技領域２１を広く確保できる。
【発明を実施するための最良の形態】
【０００９】
以下、本発明の実施形態を図面に基づいて詳述する。図１〜図８は本発明をパチンコ機として具現化した第１の実施形態を例示している。図１〜図６において、１は外枠で、この外枠１の前側には、前枠２が、左右一端側に設けられた上下一対のヒンジ３を介して開閉自在に枢着されている。４はガラス扉、５は前面板で、これらは前枠２の窓孔６に対応して上下に配置され、前枠２に開閉自在に枢支されている。前枠２の下部には、左右方向の中央部に下皿（貯留皿）７が装着され、この下皿７の左右に灰皿８と発射手段９を操作するための発射ハンドル１０とが夫々装着されている。
【００１０】
下皿７は、前枠２の前側に向けて略水平に配置され且つその上面側に凹入状の遊技球貯留部１１が設けられた底壁部１２と、遊技球貯留部１１の左右両側に対応して底壁部１２の上面側から上向きに立設された一対の側壁部１３とを例えば一体に備えている。
【００１１】
左右の側壁部１３は、図６に示すように、夫々その上面側が後ろ上がりの傾斜状に形成された傾斜案内面１３ａを構成しており、前面板５を閉じる際には前面板５側の被案内面１４がこの傾斜案内面１３ａに沿って後ろ向きに摺動することにより、前面板５が上向きに押し上げられるようになっている。
【００１２】
また、底壁部１２は、その左右方向一端側が側壁部１３よりも発射ハンドル１０側に突出しており、その突出部分が、発射ハンドル１０を操作する際に手の一部を乗せるためのハンドレスト１５となっている。
【００１３】
前面板５はステンレス板等の板金製であって、ガラス扉４の下側にヒンジ５ａにより開閉自在に装着されている。前面板５には、その前側に発射用の遊技球を貯留する上皿（供給皿）１６が装着されている。上皿１６の下面側には、下皿７側の側壁部１３の上側に対応して上側壁部１７が下向きに突設されており、この上側壁部１７の下面側が被案内面１４となっている。なお、この被案内面１４は例えば略水平に形成されている。
【００１４】
１８は遊技盤で、前枠２の窓孔６に対応するように、前枠２の裏側の遊技盤装着枠１９に裏側から着脱自在に装着され、窓孔６の下部側で前枠２の裏側に装着された下セット板２０により下側から支持されている。
【００１５】
遊技盤１８の前面には、図３に示すように、発射手段９により発射された遊技球を遊技領域２１の上部側に案内する外レール２２と、遊技領域２１の周囲を規定する周壁の少なくとも一部を構成する内レール２３とが装着されると共に、遊技領域２１内には、液晶表示手段２４等を備えたセンターケース２５、可変式入賞手段２６、大入賞手段２７、普通入賞手段２８等の各種遊技部品が配置されている。
【００１６】
なお、本実施形態では、外レール２２は、遊技盤１８の下部中央寄りの位置から上部略中央位置まで左側に膨らむ略円弧状に配置され、更に上部略中央位置からは遊技盤１８の上縁側に沿って右縁部近傍まで略直線上に配置されている。また内レール２３は、遊技盤１８の左上方から外レール２２の内側に沿って下部中央位置まで略円弧状に配置され、更にそのまま右縁部近傍まで略円弧状に配置されている。
【００１７】
遊技盤１８の裏側には、図２、図６等に示すように、液晶表示手段２４等の遊技部品を裏側から覆う裏カバー３１が装着されている。裏カバー３１の裏側には、主制御基板３２を収納する主基板ケース３３、音声ランプ制御基板３４を収納する音声ランプ基板ケース３５等が着脱自在に装着されている。また、裏カバー３１の下部には、図外の集球カバーが一体に設けられており、各入賞手段に入賞して遊技盤１８の裏側に案内された遊技球はこの集球カバーで１箇所に集められた後、所定の排出通路を経て島側に回収されるようになっている。
【００１８】
遊技盤装着枠１９及び下セット板２０は、図４，図５等に示すように例えば一体に形成されており、その裏側には、遊技盤１８を裏側から押圧して固定するように、裏機構板４１（図２）が上下一対のヒンジ４２により開閉自在に枢着され、締結具４３により閉鎖状態で締結されるようになっている。
【００１９】
裏機構板４１には、図２に示すように、その中央部に裏カバー３１が嵌合する開口部４４が形成され、この開口部４４の上側に遊技球タンク４５とタンクレール４６が、左右一側に払い出し手段４７が、下側に通路ユニット４８と設置部４９とが夫々設けられており、後述の払い出し制御基板５０からの払い出し要求に基づいて遊技球タンク４５内の遊技球をタンクレール４６を経て払い出し手段４７により払い出し、その遊技球を通路ユニット４８を経て上皿１６等に案内するようになっている。
【００２０】
設置部４９には、払い出し制御基板５０を収納する払い出し基板ケース５１と、電源基板５２を収納する電源基板ケース５３とが裏側から着脱自在に取り付けられている。
【００２１】
下セット板２０は例えば合成樹脂製であって、図４，図５に示すように、遊技盤１８を下側から支持する遊技盤支持部５４がその上縁側に沿って設けられると共に、遊技盤１８の前面側に略当接する起立板部５５がその遊技盤支持部５４の前縁側から上向きに立設されており、更に下セット板２０の前側で且つ左右方向略中央位置に発射手段９が装着されている。
【００２２】
発射手段９は、図４に示すように、遊技球を発射方向に案内する発射レール６１、この発射レール６１の前側に配置され且つ上皿１６側の遊技球を発射レール６１上に１個ずつ供給する球送り手段６２、揺動自在に支持された打撃槌６３、この打撃槌６３を揺動駆動する発射駆動ソレノイド６４（図５）等を備え、それら発射レール６１、球送り手段６２、打撃槌６３等は取付板６５を介して下セット板２０の前側に固定されている。
【００２３】
なお、球送り手段６２の球導入口６６は、前面板５が下セット板２０側に閉じられたときに、上皿１６の下流側で且つ前面板５の裏側に形成された上皿排出口（図示省略）と連通するようになっている。
【００２４】
遊技盤装着枠１９は、図４，図５等に示すように、下セット板２０の左右両側から上向きに配設された左右一対の縦枠部１９ａ，１９ｂと、その縦枠部１９ａ，１９ｂの上端側を左右に連結する横枠部１９ｃとで門型状に形成されている。また、縦枠部１９ａ，１９ｂ，横枠部１９ｃは、図８等に示すように、遊技盤１８の周縁部に沿って前後方向に配置される側壁部７１と、その側壁部７１の前側から遊技盤１８の内側に向けて延設され且つ側壁部７１内に後側から嵌め込まれた遊技盤１８の前面周辺部に当接する前壁部７２とを一体に備えている。
【００２５】
遊技盤１８は、遊技盤装着枠１９側の側壁部７１と下セット板２０側の遊技盤支持部５４とで囲まれた四角形の枠内に後側から嵌め込まれ、その前面側が遊技盤装着枠１９側の前壁部７２と下セット板２０側の起立板部５５とに当接した状態で、裏機構板４１によりその裏面側を前向きに押圧した状態で固定されるようになっている。
【００２６】
遊技盤装着枠１９を構成する右側の縦枠部１９ｂは、その前壁部７２における遊技領域側端面７２ａが遊技領域２１の周壁の一部を構成している。即ち、遊技盤１８側の外レール２２はその遊技領域側端部２２ａが縦枠部１９ｂの上部側に、内レール２３はその右側端部２３ａが縦枠部１９ｂの下部側に夫々近接しており、縦枠部１９ｂの前壁部７２の遊技領域側端面７２ａはその外レール２２の遊技領域側端部２２ａと内レール２３の右側端部２３ａとの間に対応する遊技領域側端面７２ａの部分が外レール２２、内レール２３と共に遊技領域２１の周壁を構成している。
【００２７】
また、縦枠部１９ｂには、外レール２２の遊技領域側端部２２ａに対応してその下側に返し部材７３が装着されている。この返し部材７３は、発射手段９により発射されて遊技領域２１の上部側をその周壁に沿って走行する遊技球を遊技領域２１の内側に向けて跳ね返すためのもので、図７，図８等に示すように、縦枠部１９ｂに設けられた切欠状の装着部７４に着脱自在に装着されている。
【００２８】
装着部７４は、縦枠部１９ｂの内側（遊技盤１８側）にその前後方向全体、即ち側壁部７１と前壁部７２とにわたって外向き凹入状に形成されており、その内周面、例えば上下一対の上下内周面７４ａ，７４ｂ及び側内周面７４ｃは全て前後方向の平面に形成されている。
【００２９】
また、装着部７４の前部側には、その装着部７４の前開口部７５を側内周面７４ｃ側から一部閉鎖する規制壁（規制部）７６が、上下内周面７４ａ，７４ｂ間に所定幅、所定厚さで設けられている。この規制壁７６の後側には、１又は複数の支持ピン７７が後ろ向きに突設されている。この支持ピン７７は、例えば前後方向に円形等の一定断面を有する柱状に形成され、例えば上下方向に所定間隔をあけて２本配設されている。なお、支持ピン７７の断面形状は任意であり、また後端側が細いテーパー状に形成してもよい。
【００３０】
本実施形態では、装着部７４は、その前部側の前壁部７２に対応する部分が返し部材７３を収容する返し部材収容部７４ｄ、それよりも後側の側壁部７１に対応する部分が返し部材７３を着脱するための着脱案内部７４ｅとなっており、支持ピン７７はその返し部材収容部７４ｄ内に形成されている。
【００３１】
返し部材７３は、合成ゴムその他の弾性材料で形成されており、装着部７４の返し部材収容部７４ｄに対応する形状に形成されている。即ち、返し部材７３は、略四角柱状に形成されると共に、その前面側には、規制壁７６に対応する切欠部７８が形成されており、更にその切欠部７８から後ろ向きに支持ピン７７に対応するガイド孔７９が例えば貫通状に形成されている。
【００３２】
返し部材７３の装着部７４への装着は、遊技盤装着枠１９に遊技盤１８が装着されていない状態で次のように行う。即ち、返し部材７３を遊技盤装着枠１９の後側から装着部７４に対して着脱案内部７４ｅに沿って前向きに挿入し、更に支持ピン７７をガイド孔７９に前側から嵌合させつつ、切欠部７８が規制壁７６に当接するまで前向きに摺動させる。
【００３３】
装着部７４内に装着された返し部材７３は、その遊技領域側側面７３ａが前壁部７２の遊技領域側端面７２ａと、その背面（抜け規制部）７３ｂが前壁部７２の背面７２ｂと夫々略面一となっている（図７（ｂ），図８（ｂ））。遊技盤装着枠１９に遊技盤１８が装着されると、その遊技盤１８の前面側が返し部材７３の背面７３ｂに後側から略当接するため、遊技盤１８が装着された状態では返し部材７３が脱落することはない。
【００３４】
以上説明したように、本実施形態のパチンコ機では、返し部材７３を、遊技盤装着枠１９に着脱自在に装着しているため、遊技盤１８を交換する場合でも返し部材７３はそのままその交換時期がくるまで引き続き使用することができ、返し部材７３の早期交換による無駄をなくすことができる。
【００３５】
遊技盤装着枠１９は、遊技盤１８の周縁部に沿って前後方向に配置される側壁部７１と、その側壁部７１の前側から遊技盤１８の内側に向けて延設され且つ側壁部７１内に後側から嵌め込まれた遊技盤１８の前面周辺部に当接する前壁部７２とを備え、前壁部７２における遊技領域側端面７２ａが遊技領域２１の周壁の一部を構成しており、その遊技領域周壁を構成する前壁部端面７２ａに設けられた切欠状の装着部７４に返し部材７３が装着されるため、返し部材７３は遊技領域２１の周壁内に嵌め込まれた状態となり、遊技領域２１を広く確保できる利点がある。
【００３６】
返し部材７３は、遊技盤１８が装着されていない状態で装着部７４に対して前後方向に着脱可能に構成されると共に、遊技盤装着枠１９に後側から装着された遊技盤１８の前面側が略当接する抜け規制部７３ｂを有しているため、遊技盤１８を装着した状態では返し部材７３が遊技盤装着枠１９側に固定されて脱落することはない。
【００３７】
装着部７４は、遊技盤装着枠１９に対して前後方向全体にわたって形成されると共に、遊技盤装着枠１９には、返し部材７３の前面側に略当接する規制部７６が装着部７４の前部側に対応して設けられており、その規制部７６の後側に、返し部材７３側に形成された前後方向のガイド孔７９に前側から嵌合する支持ピン７７が後ろ向きに突設されているため、返し部材７３が前後方向に容易に着脱可能であると同時に、装着状態では後ろ向き以外の各方向を適切に支持できる。
【００３８】
図９は本発明の第２の実施形態を例示し、第１の実施形態を一部変更して、装着部７４に装着された返し部材７３を裏機構板４１により後側から支持するように構成した例を示している。
【００３９】
本実施形態では、遊技盤装着枠１９に設けられた装着部７４側の構成については第１の実施形態と同様であるが、その全体が返し部材収容部７４ｄとなっており、返し部材７３はこの装着部７４の全体に対応する形状に形成されている。即ち、返し部材７３は、前壁部７２側に対応する前形状部８１（第１の実施形態における返し部材７３と同形状）とその後側の側壁部７１に対応する後形状部８２とで断面略Ｌ型に形成されており、その後形状部８２の後端面８２ａが、側壁部７１の後端面７１ａと略面一となっている（図９（ｂ））。
【００４０】
また、裏機構板４１は、遊技盤装着枠１９側に閉じた場合、その前面側が返し部材７３の後形状部８２の後端面８２ａに後側から略当接するように構成されている（図９（ｂ））。
【００４１】
これにより、例えば遊技盤１８を装着していない状態で前枠２を搬送するような場合でも、裏機構板４１を閉じた状態であれば、この裏機構板４１により返し部材７３が後側から支持されてその脱落を防止することができる。
【００４２】
なお、返し部材７３の形状を例えば第１の実施形態と同様とし、裏機構板４１側に、その７３の背面に後側から当接する支持部材を例えば前向き突起状に設けてもよい。但し、この場合には、遊技盤１８を遊技盤装着枠１９に装着したときにその支持部材が遊技盤１８に干渉しないようにする必要がある。
【００４３】
図１０及び図１１は本発明の第３の実施形態を例示し、返し部材７３を、装着部７４に対して遊技盤１８の面内方向に着脱可能に構成すると共に、遊技盤装着枠１９に後側から装着された遊技盤１８の端面側が略当接する抜け規制部を設けた例を示している。
【００４４】
本実施形態の装着部７４は、縦枠部１９ｂの内側（遊技盤１８側）にその前面側から少なくとも前壁部７２の背面７２ｂよりも後方の所定位置、例えば側壁部７１の後端面７１ａにわたって外向き凹入状に形成されており、その内周面、例えば上下一対の上下内周面７４ａ，７４ｂ及び側内周面７４ｃは全て前後方向の平面に形成されている。
【００４５】
また、装着部７４内には、１又は複数の支持ピン７７が、側内周面７４ｃから遊技盤１８の面内方向に略垂直に立設されている。この支持ピン７７は、例えば円形等の一定断面を有する柱状に形成され、側内周面７４ｃの所定位置、例えば前壁部７２に対応する前端側の位置に例えば上下方向に所定間隔をあけて２本配設されている。なお、支持ピン７７の断面形状は任意であり、また端部側が細いテーパー状に形成してもよい。
【００４６】
また、本実施形態では、装着部７４の全体が返し部材収容部７４ｄとなっており、返し部材７３はこの装着部７４の全体に対応する形状に形成されている。即ち、返し部材７３は、前壁部７２側に対応する前形状部８１とその後側の側壁部７１に対応する後形状部８２とで断面略Ｌ型に形成されると共に、例えば前形状部８１側には支持ピン７７に対応するガイド孔７９が例えば貫通状に形成されている。
【００４７】
返し部材７３の装着部７４への装着は、遊技盤装着枠１９に遊技盤１８が装着されていない状態で、返し部材７３のガイド孔７９に支持ピン７７を嵌合させるように、返し部材７３を遊技盤装着枠１９の内側から装着部７４に挿入することにより行う。
【００４８】
装着部７４内に装着された返し部材７３は、前形状部８１側の遊技領域側側面７３ａが前壁部７２の遊技領域側端面７２ａと、前形状部８１側の背面７３ｂが前壁部７２の背面７２ｂと、後形状部８２側の遊技盤側側面（抜け規制部）８２ｂが側壁部７１の遊技盤側側面７１ｂと夫々略面一となっている（図１１（ｂ））。遊技盤装着枠１９に遊技盤１８が装着されると、その遊技盤１８の端面側が返し部材７３の後形状部８２側の遊技盤側側面８２ｂに遊技盤装着枠１９の内側から略当接するため、遊技盤１８が装着された状態では返し部材７３が脱落することはない。
【００４９】
以上、本発明の各実施形態について詳述したが、本発明はこの実施形態に限定されるものではなく、本発明の趣旨を逸脱しない範囲内で種々の変更が可能である。例えば、返し部材７３は、ネジ、係合爪その他の固定手段により遊技盤装着枠１９側に固定してもよい。
【００５０】
支持ピン７７は、返し部材７３を装着する際にその装着方向に案内すると共に返し部材７３を所定位置に位置決め、保持するためのものであるが、これと同様の機能を有する別の構成に変更してもよい。例えば装着部７４の上下内周面７４ａ，７４ｂに返し部材７３を装着方向に案内する摺動レール等を設けてもよい。或いは、返し部材７３側又は装着部７４側に係合凸部を、装着部７４側又は返し部材７３側にその係合凸部が係合可能な係合凹部を夫々設け、返し部材７３を押圧変形させつつ装着部７４に装着して、係合凸部と係合凹部とを係合させるように構成してもよい。
【００５１】
返し部材７３の取付位置や取付範囲等は任意であり、遊技盤１８側のレール配置等に応じて適宜決定すればよい。
【００５２】
実施形態では、遊技盤１８を前枠２の後側から着脱するように構成した例を示したが、遊技盤１８を前枠２に対して前側から着脱するように構成してもよい。この場合、例えば返し部材７３も遊技盤装着枠１９に対して前側から着脱可能とし、前側から装着された遊技盤１８の所定部分が返し部材７３に略当接することにより返し部材７３の脱落を防止するように構成できる。
【００５３】
なお、実施形態ではパチンコ機について例示したが、アレンジボール機、雀球遊技機等の他の弾球遊技機でも同様に実施できることはいうまでもない。
【図面の簡単な説明】
【００５４】
【図１】本発明の第１の実施形態を示すパチンコ機の全体斜視図である。
【図２】本発明の第１の実施形態を示すパチンコ機の背面図である。
【図３】本発明の第１の実施形態を示すパチンコ機の遊技盤の正面図である。
【図４】本発明の第１の実施形態を示すパチンコ機のガラス扉及び前面板を除いた状態での正面図である。
【図５】本発明の第１の実施形態を示すパチンコ機の裏機構板及び遊技盤を除いた状態での背面図である。
【図６】本発明の第１の実施形態を示すパチンコ機の側面図である。
【図７】本発明の第１の実施形態を示す返し部材の取付構造を示す説明図である。
【図８】本発明の第１の実施形態を示す返し部材の取付構造を示す説明図である。
【図９】本発明の第２の実施形態を示す返し部材の取付構造を示す説明図である。
【図１０】本発明の第３の実施形態を示す返し部材の取付構造を示す説明図である。
【図１１】本発明の第３の実施形態を示す返し部材の取付構造を示す説明図である。
【符号の説明】
【００５５】
２    前枠
９    発射手段
１８    遊技盤
１９    遊技盤装着枠
２１    遊技領域
４１    裏機構板
７１    側壁部
７２    前壁部
７２ａ  前壁部端面
７３    返し部材
７３ｂ  返し部材背面（抜け規制部）
７４    装着部
７６    規制壁（規制部）
７７    支持ピン
７９    ガイド孔
８２ｂ  後形態部の遊技盤側側面（抜け規制部）
【図１】
2006223734.tif 000003
【図２】
2006223734.tif 000004
【図３】
2006223734.tif 000005
【図４】
2006223734.tif 000006
【図５】
2006223734.tif 000007
【図６】
2006223734.tif 000008
【図７】
2006223734.tif 000009
【図８】
2006223734.tif 000010
【図９】
2006223734.tif 000011
【図１０】
2006223734.tif 000012
【図１１】
2006223734.tif 000013